(57)【要約】      （修正有）【課題】裏返しが容易で、風に煽られて落下する事もない、高層住宅のベランダのフェンスに効果的な布団乾燥具を提供する事。【解決手段】梯形の平板２枚を重ねて頂部を蝶番で連結するか、長方形の平板を曲げて平面部を間隔を置いて平行に対向させ、側方から見て逆様Ｕ字形をなす様に成型した本体の、頂部近くに小孔を開けて紐を通して輪を作り、フェンスの構桟を巻いてから輪に本体をくぐらせて吊下げる事で簡単・確実に本体をフエンスの外側に吊下げられ、本体下部に布団をを挟ませて本体に設けた挟持緊定機構のねじ棒を操作して本体の布団挟持を強化する。布団の片面全面が天日に晒されるので一度裏返すだけで乾燥が終わる。裏返しも布団の重さを紐の張力が支えるので力も要らない。【選択図】  図４
2006204869.tif 000002
【特許請求の範囲】
【請求項１】
長方形・梯形等上辺と底辺が平行な多辺形の平板２枚を重ねて頂部を蝶番で連結するか、長方形の平板を曲げて平面部を間隔を置いて平行に対向させ、側方から見て逆様Ｕ字形をなす様に成型した本体の、上部に小孔を開けて紐を通し、その長さを、本体をくぐらせ得る輪状部を作れる長さにして結ぶ一方、本体下方に一方又は両方の平面部を貫く孔を開けて雌ねじを切り、該雌ねじに螺合する雄ねじ棒を係合させてなるふとん挟持緊定機構を設け、ねじ棒を回して雌ねじとの係合長を加減する事により、本体下部に挟んだ布団の挟持を確実になし得る様にした事を特徴とする布団乾燥具。
【発明の詳細な説明】
【技術分野】
【０００１】    本発明はベランダのフェンスなどで布団を天日干しするのを画期的に効率良く、且つ確実・安全に行える様にする為の用具である。
【背景技術】
【０００２】    従来はフェンスの上端の桟に布団を二つ折りにして掛けるだけだった。故に全面を干すには前面が済むと裏返して裏面、次いで前後を変えて前面・裏面と４回手を掛けねばならなかった。手間と時間を要するし、布団は結構重いので裏返したり前後を変えたりする労力も馬鹿にならなかった。それに二つ折りが必ずしも正確ではないし、各回の時間にもむらがあるので各部の受ける日照も平等ではなかった。また二つ折りの不均等でフェンスの前にある部分が後にある部分より長い場合、風に煽られたりすると落下する事もある。高層住宅の高い階から落ちる布団は凶器となって器物や人畜を損傷する危険があった。
【発明の開示】
【発明が解決しようとする課題】
【０００３】    解決しようとする問題点は【０００２】項に前記した様な手間や時間・労力・危険等であって、本発明はこれらを抜本的に改善するものである。
【課題を解決する為の手段】
【０００４】    本発明は本体の上端近くに取り付けた紐をフェンスの上端の横桟をまたがせた部分で輪を作り、その輪に本体をくぐらせてフェンスの外面にたらし、布団の上端を挟んでぶら下げて天日に晒すものである。この簡単な操作で本体は紐を介してフェンス上端の横桟に確実・堅固に取り付けられる。
【発明の効果】
【０００５】    従来の様に布団を二つ折りにせず布団の上端のみを挟んで吊すのだから布団の片面全面が一度に天日に晒される。干す時間は半分で済む。裏面を干す為に裏返すのも、布団の重量が紐の張力で支えているから力が要らず、容易に裏返せて労力・時間を削れる。
【発明を実施するための最良の形態】
【０００６】    従来は布団挟持部が風でフェンスに当たったり、子供のいたずらで挟持力が弱まったりして布団が脱落する例があったが、本発明では挟持緊定機構で布団を挟持するのでその様な危険は全く無い。
【実施例１】
【０００７】    図１は本発明による布団乾燥具の１例を示す正面図、図２はそれを右方から見た側面図である。１・２は共に梯形の平板で同形である。両者を重ね合わせ、頂部を蝶番４でつないで一体の本体とする。５は板スプリングで常時本体下端の間隔を広げる方向に働いている。６は本体上部に開けた小孔。これに紐７を通し、本体をくぐらせ得る大きさの輪を作れる長さにして結ぶ。【０００８】  ８は挟持緊定機構の主体であるねじ棒の先端の雄ねじ部、この状態（本体が正立している状態）で本体１・２には該雄ねじの軸線に合った位置に雄ねじに螺合する雌ねじが切ってある。９は摘み、１０は突当て部である。突当て部と雄ねじの間は棒状部１１で後記の理由で雌ねじの底径より細くしてある。【０００９】    図３は用法を示す図で、本発明の特徴であり、最高の利点である本発明をフェンスの上端の横桟に取り付ける過程を説明する為の図。前記の横桟の長手方向に直角な面で切断した状態で、１２は長手方向の延長線から見た前記横桟の断面。その右方がベランダ、左方が屋外である。フェンスは上記の横桟のみを示し支柱は図示を省略してある。１・２は図２同様、本体の右側面図である。挟持緊定機構・スプリング等の図示を省略してある。【００１０】    紐７を横桟の外方即ち屋外方向から上、内方とかけ、その輪に本体を矢印の様にくぐらせる。反対に、構桟内方から上、外方とかけて外方に作った輪に本体をくぐらせてもよい。この様に簡単・確実に本体を横桟に吊り下げ得る点が本発明の最大特徴である。【００１１】    図４はその状態から本体に布団２０を挟んで吊り下げた状態を示す。布団は仮想で、鎖線で示す。本体と布団の荷重で紐７はその中程で横桟をきっちりと緩みなく巻いて安定している。布団は全体がフェンスの外側にある。【００１２】    図２と比べると明らかな様に、布団を挟む為に本体の両板の挟角は狭まっている。だから雄ねじの軸線に対して１の板の雌ねじの軸線は傾いている。棒状部の径が雌ねじの底径に合わせてあったらねじを痛める所だが、【０００８】項に記した様に細くしてあるので問題ない。なお、この雌ねじを雄ねじが通り得る孔にしなかったのは、いたずらなんかでねじ棒を２の板の雌ねじから抜いてしまった時、孔だと脱落の虞れがあるが、ねじであれば抜け止めとなるからである。【００１３】    なお、このままでは布団が下がり過ぎる場合は、【００１０】項の作業を済ませてから乾燥具の付いた紐をフェンスの下の横桟にひっかけて後再び上端の横桟を越して乾燥具を吊り下げるなどすればよい。また、よりデリケートな調節を望む時は適当な大きさのＳフックを下の横桟にひっかけて上記に準じた作業を行えばよい。或はベランダの床に適当な長さの紐の下端を固定、上端にＳフックを着けて上記に準じた作業を行ってもよい。【００１２】    本体が挟むのは布団の上端のほんの一部分に過ぎないので、実質的に布団の片面全体が天日に晒されるとしてよい。【００１３】    布団の反対面を干す為に裏返すのも、布団の重量は紐の張力で支えているので力も要らず、時間も瞬間的で済んで手間がかからない。【００１４】    本発明による乾燥具の変形例を図５・図６に示す。図５が正面図、図６が右方から見た側面図である。簡単で理���し易いので布団の挟持緊定機構を描きそえてその説明にも活用する。本体３は長方形の板をＵ字形に曲げたもの。上部に小孔１６を開けて紐１７を通し、本体をくぐらせ得る輪を作れる長さにして結ぶのは【００１０】で説明した図１・２に示す前例と同様である。【００１５】    本体を横桟に取付ける過程も全く前例と同様なので図及び説明を省略する。【００１６】    前例と違うのは布団の挟み方即ち本体への取付け方であって、前例では本体下部に挿入した布団２０を本体を構成する２枚の板で挟むのに対し、この例では図６に示す様に、本体の一方の平面部に雌ねじを切って螺合させたねじ棒の先端で布団を他方の平面部の内面に押付ける型の挟持緊定機構によっている点である。ねじ棒の先端は回転で布団を傷めない様に丸めてある。【００１７】    本例があれば前例と併用して前例の挟持緊定機構を省略出来る。図７はその場合の正面図だが、本例の平面部で前例の本体の外側を挟む様に嵌め、摘み１９でねじ棒を操作して布団を挟んだ本体の１・２の板の間隔を狭める事で挟持力を強化するのである。紐１７は紛失防止用に本体に結び付けるのに使える。容易に理解し得るので側面図は省略する。
【産業上の利用可能性】
【００１８】    日常生活で極めて利用価値が高いので産業上も量産が期待される。
【図面の簡単な説明】
【００１９】
【図１】布団乾燥具の正面図。
【図２】同乾燥具の右方から見た側面図。
【図３】同乾燥具の用法説明の為の図。干す為の準備段階で、乾燥具のフェンスへの取り付け方を示す。
【図４】使用状態を示す図。
【図５】本発明による変形例の正面図。
【図６】同例の右方からの側面図。
【図７】変形例を前例に併用した例の正面図。
【符号の説明】
【００２０】    １    布団乾燥具本体を構成する２枚の平板の中の一枚。
２    他の１枚。
３    変形例の本体。
４    蝶番。
５    スプリング。
６    本体上部に設けた小孔。
７    紐。
８    ねじ棒先端のねじ部。
９    摘み。
１０    突当て。
１１    棒状部。
１２    フェンスの横桟。
１６    変形例の本体上部に設けた小孔。
１７    紐。
１８    変形例のねじ棒先端のねじ部。
１９    摘み。
２０    布団。
【図１】
2006204869.tif 000003
【図２】
2006204869.tif 000004
【図３】
2006204869.tif 000005
【図４】
2006204869.tif 000006
【図５】
2006204869.tif 000007
【図６】
2006204869.tif 000008
【図７】
2006204869.tif 000009